(57)【要約】【課題】  フロントシェル及びバックシェルの接続強度、並びにシールド対策が十分に強化され、配線回路基板への実装接続や筐体パネルへの取り付けを安定して行い得る簡素な構造のコネクタを提供すること。【解決手段】  このコネクタは、コンタクト４を保持固定したハウジング５における嵌合部をフロントシェル１で覆い、コンタクト４のアングル部をバックシェル２で覆って成り、シェル１のフック付き端子１ａとシェル２の総計４本の端子２ａ，２ｂとがコンタクト４と一緒に配線回路基板との接続に供される他、ネジ３をシェル１の固定用片１ｂに設けられた挿通穴を通してシェル２の被固定用片２ｃに設けられたタップ部２ｄへ締結することにより、シェル１及びシェル２がハウジング５に固定される構造であり、シェル１にあっての固定用片１ｂとネジ３との間に図示されない筐体パネルが挟持されるようになっている。【選択図】      図１
2005056780.tif 000002
【特許請求の範囲】
【請求項１】
複数のコンタクトを保持固定したハウジングをシェルで覆って成ると共に、配線回路基板上に実装搭載されるコネクタにおいて、前記シェルは、前記ハウジングにおける嵌合部を覆ったフロントシェル、及び前記コンタクトのアングル部を覆ったバックシェルから成り、前記フロントシェルは、前記配線回路基板との接続に供される端子と、前記バックシェルへの取り付け固定用に供されると共に、ネジを挿通させるための挿通穴が設けられた固定用片とを一体的に有しており、前記バックシェルは、前記配線回路基板との接続に供される端子と、前記フロントシェルにあっての前記固定用片との間における固定用に供されると共に、前記ネジを締結するためのタップ部が設けられた被固定用片とを一体的に有しており、更に、前記ネジを前記挿通穴を通して前記タップ部へ締結することにより、前記フロントシェル及び前記バックシェルが前記ハウジングに固定される構造であることを特徴とするコネクタ。
【請求項２】
請求項１記載のコネクタにおいて、前記ハウジングは、前記フロントシェルにあっての前記固定用片と前記バックシェルにあっての前記被固定用片との間に挟持されるフランジ部を一体的に有することを特徴とするコネクタ。
【請求項３】
請求項１又は２記載のコネクタにおいて、前記フロントシェル及び前記バックシェルのうちの何れか一方には相手側と弾性的に接続するための接触片が一体的に設けられたことを特徴とするコネクタ。
【請求項４】
請求項１〜３の何れか一つに記載のコネクタにおいて、前記フロントシェルにあっての前記端子は、前記配線回路基板に対して係合させるためのフック部を一体的に有することを特徴とするコネクタ。
【発明の詳細な説明】
【技術分野】
【０００１】
本発明は、主として配線回路基板上に実装搭載された上で筐体パネルに装着固定されると共に、電磁干渉（ＥＭＩ）によるノイズ発生を抑制するように対策を施したコネクタであって、詳しくはシールド構造を強化したシールド強化型のコネクタに関する。
【背景技術】
【０００２】
従来、この種のシールドを対策したコネクタとして、一例に係る電子コネクタタでは、バックシェルに設けられた接触片によりバックシェルがフロントシェルとの間で全体の上部で電気的に接続され、フロントシェルに設けられたタップ部にネジを用いて締結することにより筐体パネルに装着固定される構造（特許文献１参照）となっている。尚、このコネクタにおける配線回路基板への実装時には、接地用に別個な部品を用いて配線回路基板との結線を行うようになっている。
【特許文献１】米国特許第６５５４６４２号明細書抜粋
【発明の開示】
【発明が解決しようとする課題】
【０００３】
上述した特許文献１に係るコネクタの場合、基本構成として、配線回路基板との間で接地用に結線を行うための部品が別個に必要であることにより、部品点数が多くなって組み立てに手間（工数）がかかり、これがコスト高を招く要因となっているばかりでなく、バックシェルに設けられた接触片によりバックシェルがフロントシェルとの間で全体の上部で電気的に接続され、且つフロントシェルに設けられたタップ部に対してネジを用いて締結した上で筐体パネル及びフロントシェルを固定する構造であることにより、筐体パネルへの取り付けに際してフロントシェルが筐体パネル側へ引っ張られて負荷がかかり、このときにフロントシェル及びハウジングの接続強度やフロントシェル及びバックシェルの固定強度が弱ければフロントシェルが外れてしまう恐れがあり、さほど機械的強度が優れない構造であるといえる上、バックシェルが配線回路基板に終端されておらずにフロントシェルと接続される別部品が配線回路基板に終端されるため、接地用の信号がバックシェルに流れ難くなっており、しかもフロントシェルから流れて来た信号がバックシェルの端部で反射を生じたり、或いはフロントシェル及び別部品の間の接触性に問題が生じると電気的に安定したループが得られなくなってフロントシェルにおいても端部で反射を生じることが考えられ、こうした反射が電磁干渉を起こしてノイズを誘発させる要因となることにより、電気的にも十分にノイズ（シールド）対策が施されていないという問題がある。
【０００４】
本発明は、このような問題点を解決すべくなされたもので、その技術的課題は、フロントシェル及びバックシェルの接続強度、並びにシールド対策が十分に強化され、配線回路基板への実装接続や筐体パネルへの取り付けを安定して行い得る簡素な構造のコネクタを提供することにある。
【課題を解決するための手段】
【０００５】
本発明によれば、複数のコンタクトを保持固定したハウジングをシェルで覆って成ると共に、配線回路基板上に実装搭載されるコネクタにおいて、シェルは、ハウジングにおける嵌合部を覆ったフロントシェル、及びコンタクトのアングル部を覆ったバックシェルから成り、フロントシェルは、配線回路基板との接続に供される端子と、バックシェルへの取り付け固定用に供されると共に、ネジを挿通させるための挿通穴が設けられた固定用片とを一体的に有しており、バックシェルは、配線回路基板との接続に供される端子と、フロントシェルにあっての固定用片との間における固定用に供されると共に、ネジを締結するためのタップ部が設けられた被固定用片とを一体的に有しており、更に、ネジを挿通穴を通してタップ部へ締結することにより、フロントシェル及びバックシェルがハウジングに固定される構造であるコネクタが得られる。
【０００６】
又、本発明によれば、上記コネクタにおいて、ハウジングは、フロントシェルにあっての固定用片とバックシェルにあっての被固定用片との間に挟持されるフランジ部を一体的に有するコネクタが得られる。
【０００７】
更に、本発明によれば、上記何れかのコネクタにおいて、フロントシェル及びバックシェルのうちの何れか一方には相手側と弾性的に接続するための接触片が一体的に設けられたコネクタが得られる。
【０００８】
加えて、本発明によれば、上記何れか一つのシールド強化型コネクタにおいて、フロントシェルにあっての端子は、配線回路基板に対して係合させるためのフック部を一体的に有するコネクタが得られる。
【発明の効果】
【０００９】
本発明のコネクタによれば、フロントシェルに配線回路基板との接続に供される端子が一体的に設けられていることにより、接地用の別部品を必要とせず、部品点数が削減されて組み立てに手間（工数）がかからずに廉価に提供できるようになり、コスト面で改善が図られる。又、フロントシェルにあっての固定用片とネジとの間に筐体パネルが挟持され、且つ同じネジでバックシェルの接続固定を行う他、フロントシェル及びバックシェルのそれぞれに配線回路基板との接続に供される端子が一体的に設けられ、これらの何れか一方には相手側と弾性的に接続するための接触片が一体的に設けられているため、電気的にそれぞれループが形成されて接地用の信号による反射が起きず、簡素な構造で全体を強固にシールド化してシールド性の高いシールド強化型とすることができる。更に、バックシェルにあっての被固定用片にタップ部を設けて筐体パネルへの取り付けに際して、ネジをフロントシェルにあっての固定用片に設けられた挿通穴と筐体パネルに設けられた挿通穴とを通してタップ部へ締結することにより、フロントシェルにあっての固定用片とネジとの間に筐体パネルが挟持されるため、負荷がバックシェルにかかってバックシェルが筐体パネル側へ引き寄せられ、このときに筐体パネルとの間に位置されるフロントシェル及びハウジングも筐体パネル側へ負荷を受ける構造となり、特許文献１の場合とは相違してフロントシェル及びハウジングの接続強度やフロントシェル及びバックシェルの固定強度が安定維持されてフロントシェルが外れてしまうことが無く、機械的強度が極めて向上される構造となっている。加えて、筐体パネルへの取り付けに際して、フロントシェルも筐体パネル側へと負荷を受ける構造であることにより、筐体パネル及びフロントシェルの密着性が向上し、特許文献１のフロントシェルにタップ部が設けられた場合の構造と同様に確実に装着固定を行うことができる。
【発明を実施するための最良の形態】
【００１０】
複数のコンタクトを保持固定したハウジングをシェルで覆って成ると共に、配線回路基板上に実装搭載されるコネクタにあって、シェルをハウジングにおける嵌合部を覆ったフロントシェル、及びコンタクトのアングル部を覆ったバックシェルから成るものとした上、フロントシェルについては、配線回路基板との接続に供される端子と、バックシェルへの取り付け固定用に供されると共に、ネジを挿通させるための挿通穴が設けられた固定用片とを一体的に有するものとし、バックシェルについては、配線回路基板との接続に供される端子と、フロントシェルにあっての固定用片との間における固定用に供されると共に、ネジを締結するためのタップ部が設けられた被固定用片とを一体的に有するものとし、更に、ネジを挿通穴を通してタップ部へ締結することにより、フロントシェル及びバックシェルがハウジングに固定される構造としたものである。
【００１１】
このコネクタにおいて、ハウジングについては、フロントシェルにあっての固定用片とバックシェルにあっての被固定用片との間に挟持されるフランジ部を一体的に有するものとし、フロントシェル及びバックシェルのうちの何れか一方には相手側と弾性的に接続するための接触片が一体的に設けられるものとしたり、或いはフロントシェルにあっての端子については、配線回路基板に対して係合させるためのフック部を一体的に有するものとすることが好適である。
【実施例１】
【００１２】
図１は、本発明の実施例１に係るシールド強化型のコネクタの基本構成を示した外観斜視図であり、同図（ａ）はフロントシェル１側からの上方向に関するもの，同図（ｂ）はバックシェル２側からの上方向に関するもの，同図（ｃ）はバックシェル２側からの下方向に関するものである。又、図４は、このコネクタに備えられるバックシェル２の外観構成を示した斜視図であり、同図（ａ）は一方向図に関するもの，同図（ｂ）は他方向図に関するものである。更に、図６は、このコネクタに備えられるフロントシェル１の細部構成を示したものであり、同図（ａ）は正面方向からの正面図に関するもの，同図（ｂ）は右方向からの側面図に関するもの，同図（ｃ）は上面方向からの平面図に関するものである。加えて、図８は、このコネクタに備えられるバックシェル２の細部構成を示したものであり、同図（ａ）は正面方向からの正面図に関するもの，同図（ｂ）は右方向からの側面図に関するもの，同図（ｃ）は内部構造を露呈して示すために一部を切り欠いた上面方向からの平面図に関するもの，同図（ｄ）は裏面方向からの背面図に関するものである。
【００１３】
このコネクタは、複数のコンタクト４を保持固定したハウジング５における嵌合部をフロントシェル１で覆い、コンタクト４のアングル部をバックシェル２で覆って成るもので、図示されない配線回路基板上に実装搭載される点は従来通りであるが、フロントシェル１は、正面方向での両側部分に配線回路基板との接続に供されるフック付き端子１ａと、バックシェル２への取り付け固定用に供されると共に、ネジ３を挿通させるための挿通穴１ｃが設けられた固定用片１ｂとを一体的に有しており、バックシェル２は、正面方向での両側部分に配線回路基板との接続に供される幅広な一対の端子２ａを有すると共に、これらの一対の端子２ａの間に配置された比較的幅の狭い一対の端子２ｂを有する他、正面方向での両側部分にフロントシェル１にあっての固定用片１ｂとの間における固定用に供されると共に、ネジ３を締結するためのタップ部２ｄが設けられた被固定用片２ｃを一体的に有しており、一対のネジ３をそれぞれ挿通穴１ｃを通してタップ部２ｄへ締結することにより、フロントシェル１及びバックシェル２がハウジング５に固定される構造となっている。
【００１４】
このうち、ハウジング５は、フロントシェル１にあっての固定用片１ｂとバックシェル２にあっての被固定用片２ｃとの間に挟持されるフランジ部５ａを正面方向での両側部分に一体的に有しており、バックシェル２のタップ部２ｄが設けられた被固定用片２ｃの面に対する位置合わせ用の溝が形成されている。フロントシェル１には相手側のバックシェル２と弾性的に接続するための接触片１ｄ，１ｄ′が正面方向での両側部分に一体的に設けられており、フロントシェル１のフック付き端子１ａは、配線回路基板に対して係合させるためのフック部を一体的に有している。尚、図６（ａ）の側面図において内部側に配置される接触片１ｄはフランジ部５ａを介した上でその先端の折り曲げられた部分がバックシェル２の上面端に設けられた切り欠き溝部に挿入されて係止される［細部構成は後文で説明する図３（ｂ）中に示されている］もので、外部側に配置される接触片１ｄ′は接触片１ｄを付勢するように働くが、これらは協働してバックシェル２を対象として弾性的に接続するように機能する。
【００１５】
即ち、このコネクタの場合、フロントシェル１のフック付き端子１ａとバックシェル２の総計４本の端子２ａ，２ｂとがコンタクト４と一緒に配線回路基板との接続に供される他、一対のネジ３をフロントシェル１の一対の固定用片１ｂにそれぞれ設けられた挿通穴１ｃを通してバックシェル２の一対の被固定用片２ｃに設けられたタップ部２ｄへそれぞれ締結することにより、フロントシェル１及びバックシェル２がハウジング５に固定される構造であり、フロントシェル１にあっての固定用片１ｂとネジ３との間に図示されない筐体パネルが挟持されるようになっている。
【００１６】
図２は、上述した図１（ａ）〜（ｃ）で説明したコネクタを筐体パネル６へ取り付けた状態を示した外観斜視図であり、同図（ａ）はフロントシェル１側からの上方向図に関するもの，同図（ｂ）はバックシェル２側からの上方向図に関するものである。又、図３は、これらの図２（ａ），（ｂ）で説明した筐体パネル６への装着状態でのコネクタにおける電気の流れを示した模式図であり、同図  （ａ）はフロントシェル１側からの上方向の斜視図に関するもの，同図（ｂ）はバックシェル２側における側面図に関するものである。
【００１７】
図３（ａ），（ｂ）では、上述したコネクタを筐体パネル６へ取り付ける際、一対のネジ３をフロントシェル１にあっての各固定用片１ｂに設けられた各挿通穴１ｃと筐体パネル６に設けられた各挿通穴とを通してバックシェル２にあっての各被固定用片２ｃに設けられた各タップ部２ｄへ締結することにより、フロントシェル１にあっての各固定用片１ｃとネジ３との間に筐体パネル６が挟持され、この状態で筐体パネル６の外方にはフロントシェル１の局部，ハウジング５の嵌合部（コネクタとしての相手側コネクタへの嵌合部），及びネジ３の本体部分が露呈され、筐体パネル６の内方にはハウジング５にあってのコンタクト４のアングル部を覆ったバックシェル２における本体，各端子２ａ，２ｂ，及び各被固定用片２ｃと、ハウジング５におけるフランジ部５ａ及び各コンタクト４の実装接続部分と、ネジ３のネジ部分とが露呈されている様子を示している。
【００１８】
何れにせよ、このコネクタの場合、フロントシェル１に配線回路基板との接続に供される各フック付き端子１ａが一体的に設けられていることにより、接地用の別部品を必要とせず、部品点数が削減されて組み立てに手間（工数）がかからずに廉価に提供できるようになり、コスト面で改善が図られる。又、フロントシェル１にあっての各固定用片１ｂとネジ３との間に筐体パネル６が挟持され、且つ同じネジ３でバックシェル２の接続固定を行う他、フロントシェル１及びバックシェル２のそれぞれに配線回路基板との接続に供される端子（フロントシェル１の各フック付き端子１ａ、バックシェル２の各端子２ａ，２ｂを示す）が一体的に設けられ、フロントシェル１には相手側のバックシェル２と弾性的に接続するための接触片１ｄ，１ｄ′が一体的に設けられているため、フロントシェル１及びバックシェル２では電気的にそれぞれループが形成されて接地用の信号による反射が起きず、簡素な構造で全体を強固にシールド化したシールド強化型にできる。更に、バックシェル２にあっての各被固定用片２ｃにタップ部２ｄをそれぞれ設けて筐体パネル６への取り付けに際して、ネジ３をフロントシェル１にあっての各固定用片１ｂに設けられた挿通穴１ｃと筐体パネル６に設けられた挿通穴とをそれぞれ通してタップ部２ｄへ締結することにより、フロントシェル１にあっての各固定用片１ｂとネジ３との間に筐体パネル６が挟持されるため、負荷がバックシェル２にかかってバックシェル２が筐体パネル６側へ引き寄せられ、このときに筐体パネル６との間に位置されるフロントシェル１及びハウジング５も筐体パネル６側へ負荷を受ける構造となり、特許文献１の場合とは相違してフロントシェル１及びハウジング５の接続強度やフロントシェル１及びバックシェル２の固定強度が安定維持されてフロントシェル１が外れてしまうことが無く、機械的強度が極めて向上される構造となる。加えて、筐体パネル６への取り付けに際して、フロントシェル１も筐体パネル６側へと負荷を受ける構造であることにより、筐体パネル６及びフロントシェル１の密着性が向上し、特許文献１のフロントシェルにタップ部が設けられた場合の構造と同様に確実に装着固定を行うことができる。
【００１９】
ところで、上述した実施例１に係るコネクタに備えられるフロントシェル１やバックシェル２の接地用の端子に関する数や形状は、基本的機能を損なわない限り、任意に代替変更することが可能である。
【００２０】
図５は、上述した実施例１に係るコネクタに適用可能な他のバックシェル２′の外観構成を示した斜視図であり、同図（ａ）は一方向図に関するもの，同図  （ｂ）は他方向図に関するもの，同図（ｃ）は内部構造を露呈して示すために一部を切り欠いた他方向図に関するものである。
【００２１】
このバックシェル２′は、先のバックシェル２の場合と比べ、正面方向での両側に延在する幅寸法を大きくすることにより、被固定用片２ｃ′を本体部分内側に折り込むように設け、正面方向での両側に端子２ａ′のみを設けるようにした点が相違している。このような構造のバックシェル２′であっても、各被固定用片２ｃ′にタップ部２ｄが設けられているため、フロントシェル１との間でネジ３を用いて接続固定することにより、先の実施例１の場合のコネクタと同等に機能し、同等な効果を得ることができる。
【００２２】
図７は、上述した実施例１に係るコネクタに適用可能な他のフロントシェル１′の細部構成を示したものであり、同図（ａ）は正面方向からの正面図に関するもの，同図（ｂ）は右方向からの側面図に関するもの，同図（ｃ）は下面方向からの平面図に関するものである。
【００２３】
このフロントシェル１′は、先のフロントシェル１の場合と比べ、フック部を有するフック付き端子１ａに代えて通常の断面略Ｌ字状に折り曲げられた端子１ａ′にした点が相違している。このような構造のフロントシェル１′であっても、各固定用片１ｃに挿通穴１ｃが設けられているため、バックシェル２，２′との間でネジ３を用いて被固定用片２ｃ，２ｃ′のタップ部２ｄへ締結するようにして接続固定することにより、先の実施例１の場合のコネクタと同等に機能し、同等な効果を得ることができる。
【００２４】
尚、上述したコネクタでは、ハウジング５がフランジ部５ａを有するものとして説明したが、このフランジ部５ａは無くても基本機能には影響しないため、フランジ部５ａを持たない構成にすることも可能である。但し、このようにハウジング５がフランジ部５ａを持たない構成の場合、フロントシェル１の固定用片１ｂとバックシェル２の被固定用片２ｃとが直接的に当接する構成となるため、これらのうちの何れか一方に設ける接触片の形状を変更して相手側との間で弾性的に接続を行い得るように工夫する必要がある。又、上述したコネクタでは、フロントシェル１及びバックシェル２がネジ３を用いた締結により両側の２箇所で結合固定される構成を説明したが、コネクタ全体が大型で質量（重量）が大きい場合等には、例えば両側の上下４箇所で結合固定する等、ネジ３の使用数を含めて適宜構成を変更することが可能であるので、本発明のコネクタは、上述した形態のものに限定されない。更に、上述したコネクタにおいて、フロントシェル１，１′とバックシェル２，２′とを確実に固定するため、例えば図８（ｂ）に示されるようにバックシェル２の所定箇所に固定片２ｅを設けると共に、図７（ｃ）に示されるようにフロントシェル１′の所定箇所にも固定片１ｅを設けた上、これらの各固定片１ｅ，２ｅを相手側シェルにかしめるようにして固定するようにしても良い。
【産業上の利用可能性】
【００２５】
本発明のコネクタは、フロントシェル及びバックシェルの接続強度、並びにシールド対策が十分に強化され、配線回路基板への実装接続や筐体パネルへの取り付けを安定して行い得る簡素な構造であるため、特に電磁干渉によるノイズの抑制（ＥＭＩ対策）が必要とされ、高いシールド性を要する高周波伝送用コネクタであるＤＶＩコネクタ，インフィニバンドコネクタ，ＰＣＩコネクタ等への適用が好適となる。
【図面の簡単な説明】
【００２６】
【図１】本発明の実施例１に係るシールド強化型のコネクタの基本構成を示した外観斜視図であり、（ａ）はフロントシェル側からの上方向図に関するもの，（ｂ）はバックシェル側からの上方向図に関するもの，（ｃ）はバックシェル側からの下方向図に関するものである。
【図２】図１（ａ）〜（ｃ）で説明したコネクタを筐体パネルへ取り付けた状態を示した外観斜視図であり、（ａ）はフロントシェル側からの上方向図に関するもの，（ｂ）はバックシェル側からの上方向図に関するものである。
【図３】図２（ａ），（ｂ）で説明した筐体パネルへの装着状態でのコネクタにおける電気の流れを示した模式図であり、（ａ）はフロントシェル側からの上方向の斜視図に関するもの，（ｂ）はバックシェル側における側面図に関するものである。
【図４】図１（ａ）〜（ｃ）で説明したコネクタに備えられるバックシェルの外観構成を示した斜視図であり、（ａ）は一方向図に関するもの，（ｂ）は他方向図に関するものである。
【図５】図１（ａ）〜（ｃ）で説明したコネクタに適用可能な他のバックシェルの外観構成を示した斜視図であり、（ａ）は一方向図に関するもの，（ｂ）は他方向図に関するもの，（ｃ）は内部構造を露呈して示すために一部を切り欠いた他方向図に関するものである。
【図６】図１（ａ）〜（ｃ）で説明したコネクタに備えられるフロントシェルの細部構成を示したものであり、（ａ）は正面方向からの正面図に関するもの，（ｂ）は右方向からの側面図に関するもの，（ｃ）は上面方向からの平面図に関するものである。
【図７】図１（ａ）〜（ｃ）で説明したコネクタに適用可能な他のフロントシェルの細部構成を示したものであり、（ａ）は正面方向からの正面図に関するもの，（ｂ）は右方向からの側面図に関するもの，（ｃ）は下面方向からの平面図に関するものである。
【図８】図１（ａ）〜（ｃ）で説明したコネクタに備えられるバックシェルの細部構成を示したものであり、（ａ）は正面方向からの正面図に関するもの，（ｂ）は右方向からの側面図に関するもの，（ｃ）は内部構造を露呈して示すために一部を切り欠いた上面方向からの平面図に関するもの，（ｄ）は裏面方向からの背面図に関するものである。
【符号の説明】
【００２７】
１，１′  フロントシェル
１ａ  フック付き端子
１ａ′，２ａ，２ａ′，２ｂ  端子
１ｂ  固定用片
１ｃ  挿通穴
１ｄ，１ｄ′  接触片
１ｅ，２ｅ  固定片
２，２′  バックシェル
２ｃ，２ｃ′  被固定用片
２ｄ  タップ部
３  ネジ
４  コンタクト
５  ハウジング
５ａ  フランジ部
６  筐体パネル
【図１】
2005056780.tif 000003
【図２】
2005056780.tif 000004
【図３】
2005056780.tif 000005
【図４】
2005056780.tif 000006
【図５】
2005056780.tif 000007
【図６】
2005056780.tif 000008
【図７】
2005056780.tif 000009
【図８】
2005056780.tif 000010